(57)【要約】【課題】手軽に安価に趣味として制作可能な、ステンドグラス調に仕上げた装飾ガラス片を用いた新規な装身具材とそれを用いた装身具を提供することである。【解決手段】所望形状の平形のガラス片（１１）の切断面全周にカッパーホイール（１２）を巻着し、カッパーホイールに半田（１３）を積層するとともに、その周上に２つ以上のリング（１４）を半田付けした装飾ガラス片（１）である装身具材である。ここで、装飾ガラス片が、切断面全周にカッパーホイールを巻着した所望形状の平形のガラス片を、複数個半田付けしたガラス片群に、２つ以上のリングを半田付けした装飾ガラス片群（２）であってもよい。また、上記の装身具材を、丸カン、ピン、エンドパーツ等の連結金具を介して、または、連結金具を介さず直接に、チェーン、紐、線等の連結線材と連結した装身具である。【選択図】図１
0003103749.tif 000002
【実用新案登録請求の範囲】
【請求項１】
ネックレス、ブレスレット、指輪等の装身時に環状をなす装身具の装身具材や、ペンダント、イヤリング等で装身具の吊り下げ用線材の一部をなす装身具材であって、所望形状の平形のガラス片の切断面全周にカッパーホイールを巻着し、該カッパーホイールに半田を積層するとともに、その周上に２つ以上のリングを半田付けした装飾ガラス片であることを特徴とする装身具材。
【請求項２】
ネックレス、ブレスレット、指輪等の装身時に環状をなす装身具の装身具材や、ペンダント、イヤリング等で装身具の吊り下げ用線材の一部をなす装身具材であって、切断面全周にカッパーホイールを巻着した所望形状の平形のガラス片を、複数個半田付けしたガラス片群の周上に２つ以上のリングを半田付けした装飾ガラス片群であることを特徴とする装身具材。
【請求項３】
請求項１または２記載の装身具材を、連結金具を介して、または、連結金具を介さず直接に、連結線材と連結したことを特徴とする装身具。
【考案の詳細な説明】
【技術分野】
【０００１】  ファッションの個性化、多様化が進んでいる現代において、従来の装身具だけでは、不満に感じる層が増加している。また、近年のビーズ・アクセサリーやシルバークレイ（銀粘土）の流行により、手軽に安価に趣味としてアクセサリー制作を楽しむ人が増えている。本考案は、ネックレス、ブレスレット、指輪等の装身時に環状をなす装身具の装身具材や、ペンダント、イヤリング等で装身具の吊り下げ用線材の一部をなす装身具材に係り、特に、手軽に安価に趣味として制作可能な、ステンドグラス調に仕上げたガラス片を用いた新規な装身具材とそれを用いた装身具に関するものである。
【背景技術】
【０００２】  従来、ペンダントやイヤリング等にステンドグラス調に仕上げた装身具材を吊り下げた装身具が知られている。これは図８に示すように、ステンドグラス片の切断面全周にカッパーホイールを巻着し、カッパーホイールに半田を積層するとともに、その周上に１つのリングを半田付けした装飾ガラス片を装身具材としたものであり、ペンダント形式ではチェーンや革紐に装飾ガラス片のリングを通して吊り下げられ、イヤリング形式ではチェーンやイヤリング金具にリングを連結して吊り下げられている。しかしながら、ネックレス、ブレスレット等の装身時に環状をなす装身具の所望の位置に、その装身具材を連結した場合、装身具材には１つの丸カンしか付いていないため、吊り下がるのみで所望の装飾形態を保持させることができない。【０００３】  また、２つ以上の穴を設けた装飾金属片やガラス片を、それらの穴に通した丸カンを介して、チェーンや革紐等に連結して、吊り下げ用線材の一部としたものが、ネックレス、ブレスレット等の装身具として知られている。しかしながら、ステンドグラス調に仕上げたガラス片を用いて、吊り下げ用線材の一部としたネックレス、ブレスレット等の装身具は従来になかった。【０００４】  本考案に係る装身具材に近いもので、従来から知られているものとしては、例えば細工を施した金属板の表面にガラスコーティングや七宝などを施したものがある。この場合、金属板への加工は一般的にプレス加工やキャスティング加工によって行われている。そして、これにフリット（ガラス粉末）を主材とした配合粉末を上薬として塗布し、９００〜１０００℃の温度で溶融と焼成を繰り返して制作している。しかしながら、上記の装身具材では金属板の表面にガラスコーティングや七宝などを施しているだけなので、ステンドグラス調の透明感のある装身具材を得ることができなかった。【０００５】  また、金属板にプレス加工やキャスティング加工によって透かし模様を形成し、そこに透光性のあるガラス片やプラスティック片を埋め込み接着した装身具材がある。この場合、金属板とガラス片やプラスティック片との接着面を設けるために、金属板の厚さを厚くしなければならない。しかしながら、手軽に安価に趣味として楽しみながら装身具材を制作しようとする人にとって、金属板に厚みのある透かし模様を形成することは困難である。
【特許文献１】    特開平０８−１６４００７号公報
【非特許文献１】  水野孝彦／［ほか］著  「ジュエリー・バイブル基礎知識からビジネスまで」  美術出版社  １９９６年２月
【非特許文献２】  Ｙａｈｏｏ！オークション「ガラス  赤いイヤリングとネックレスのセット  ステンドグラス手法」  出品者：ｐｕｆｆｐｕｆｆ０００１  オークションＩＤ：ｂ２４４１８５９７  開始日時：平成１５年３月６日２３時１１分  終了日時：平成１５年３月１３日２３時１１分、［平成１５年３月８日検索］、インターネット＜ＵＲＬ：ｈｔｔｐ：／／ａｕｃｔｉｏｎｓ．ｙａｈｏｏ．ｃｏ．ｊｐ／ｊｐ／ａｕｃｔｉｏｎ／ｂ２４４１８５９７＞
【考案の開示】
【考案が解決しようとする課題】
【０００６】  ファッションの個性化、多様化が進んでいる現代において、従来の装身具だけでは、不満に感じる層が増加している。また、近年のビーズ・アクセサリーやシルバークレイの流行により、手軽に安価に趣味としてアクセサリー制作を楽しむ人が増えている。本考案は、ネックレス、ブレスレット等の装身時に環状をなす装身具の装身具材や、ペンダント、イヤリング等で装身具の吊り下げ用線材の一部をなす装身具材に係り、特に、手軽に安価に趣味として制作可能な、ステンドグラス調に仕上げた装飾ガラス片を用いた新規な装身具材とそれを用いた装身具を提供することである。
【課題を解決するための手段】
【０００７】  本考案は、所望形状の平形のガラス片（１１）の切断面全周にカッパーホイール（１２）を巻着し、該カッパーホイールに半田（１３）を積層するとともに、その周上に２つ以上のリング（１４）を半田付けした装飾ガラス片（１）であることを特徴とする装身具材である。【０００８】  ここで、上記の装飾ガラス片が、切断面全周にカッパーホイールを巻着した所望形状の平形のガラス片を、複数個半田付けしたガラス片群に、２つ以上のリングを半田付けした装飾ガラス片群（２）であってもよい。【０００９】  また、上記の装飾ガラス片または装飾ガラス片群を、丸カン、ピン、エンドパーツ等の連結金具を介して、または、連結金具を介さず直接に、チェーン、紐、線等の連結線材と連結したことを特徴とする装身具である。
【考案の効果】
【００１０】  本考案に係る装身具材は、ネックレス、ブレスレット等の装身時に環状をなす装身具の装身具材や、ペンダント、イヤリング等で装身具の吊り下げ用線材の一部をなす装身具材であり、芸術的・手工芸的な要素があり、見た目にガラス特有の透明感と輝きのある美しさを提供することができる。特にステンドグラスやミラーガラスを用いたり、色付きガラス片や凸凹ガラス片等を組み合せたりすることで多彩な表現が可能である。【００１１】  また、各種のガラス片を電気炉で溶着したガラス片群や、フリットを溶融焼成したガラス片に、穴を設けたり、９ピンを埋め込んだりしたものに比べて、半田ごてという安価な設備で制作でき、しかも溶着や溶融焼成のように温度や時間を厳密に制御する必要がなく、意図する通りのデザインを制作することが容易であり、高度な専門知識や経験がなくても制作することが可能である。【００１２】  また、近年のビーズ・アクセサリーやシルバークレイの流行により、手軽に安価に趣味としてアクセサリー制作を楽しむ人が増えており、そのような人のために、新規な装身具材を提供することができる。【００１３】  さらに、ファッションの個性化、多様化が進んでいる現代において、従来の装身具だけでは、不満に感じる人が増えており、そのような人のために、新規な装身具を提供することができる。
【考案を実施するための最良の形態】
【００１４】  平形のガラス片には、平板ガラス、凸凹を有する板ガラス、または、ガラス瓶の断片のように、切断面全周にカッパーホイールを巻着するのに支障をきたさない曲面を有する板ガラス等が利用でき、特にステンドグラスは色彩も多様であり、また、表面に凸凹のあるガラスも多数あり、装身具材として本考案に係る平形のガラス片に適している。【００１５】  また、カッパーホイールは銅箔テープの裏面に粘着層を積層したものであり、ステンドグラス制作の要領で、平形のガラス片の切断面と表裏面の端部とを囲むように巻着する。【００１６】  また、リングは鉄やステンレス等半田付け可能な金属材料でできており、半田を積層したカッパーホイールの周上に半田付けし、丸カン、ピン、エンドパーツ等の連結金具を介して、あるいは連結金具を介さず直接に、装飾ガラス片または装飾ガラス片群と、チェーン、紐、線等の連結線材とをつなぐためのものであり、容易に連結線材からはずれないように、また、半田付け部がカッパーホイールから離脱しないように半田付けすることが好ましい。【００１７】  例えば、リングの形状としては図６に示すものがある。図中、Ａは継ぎ目のない丸形のリングであり、Ｂは一般に丸カンと呼ばれる継ぎ目のある丸形のリングであり、Ｃは一般にＣカンと呼ばれるＣ形のリングであり、ＤおよびＥは１本の金属線で丸部と直線部とを成形したリングであり、破線で囲まれた半田付け部がカッパーホイールに半田付けされる。特に、ＤおよびＥにおいては、直線部が半田付けされ、半田付け部を多く取ることにより強度を高めることが可能である。また、Ｂ、Ｃ、ＤおよびＥにおいては、丸部の継ぎ目が半田に埋め込まれており、連結金具や連結線材がはずれにくい。【００１８】  Ｂの変形は、エンドパーツ等の連結金具やチェーン等の連結線材で継ぎ目のないものと連結するために、リングの継ぎ目を埋め込まずに半田付けする例である。また、ＤおよびＥの変形は、直線部の一部を切断し長さを調整して半田付けする例と、ガラス片の切断形状に合うように直線部の角度を調整して半田付けする例である。【００１９】  また、連結線材には、例えば、チェーン、編み紐、リボン、革紐、ゴム紐、プラスティックコード（例えば、ナイロンコード）、テグス、金属線等があり、特にそれらの材質を限定することなく、市販の連結線材を任意に用いることができる。【００２０】  さらに、連結金具には、例えば、丸カン、９ピン、Ｔピン、ボールチップ、イヤリング金具等があり、必要に応じて市販の連結金具を任意に用いることができる。【００２１】  次に、図７に連結線材との連結例を示す。
（ａ）はチェーンに丸カンを介して装飾ガラス片を連結した例である。
（ｂ）は革紐にレザー用エンドパーツを介して装飾ガラス片を連結した例であり、レザー用エンドパーツの丸部には継ぎ目がないため、リングは継ぎ目を埋め込まずに半田付けされている。編み紐、金属線、プラスティックコード等の連結線材も、革紐と同様に、類似のエンドパーツを用いることで、装飾ガラス片を連結することが可能である。ここで、（ａ）と（ｂ）とでは平形ガラス片に対する丸カンの方向が異なっているが、丸カンを半田付けする位置や方向は特に限定するものではなく、カッパーホイールの周上に十分な強度で半田付けされていればよい。
（ｃ）はリングにテグスを通し、そこにビーズを編み込んで連結線材を作り上げた例である。
（ｄ）は丸カンを介してチェーンに装飾ガラス片を橋架連結した例である。
（ｅ）は装飾ガラス片に半田付けした４つのリングに、それぞれ丸カンを介してチェーンを連結した例である。【００２２】  さらに、本考案に係る装身具においては、必要に応じて従来より知られている、ガラス、天然石、プラスティックあるいは金属等からなる、ビーズや装飾片を含んでもよい。
【実施例】
【００２３】  以下、本考案に係る装身具材および装身具の実施例を説明する。図１は、第１の実施例を示す斜視図であり、図２は中央断面図である。矩形に切断したステンドグラス片（１１）の切断面に、表裏面の端部を囲むように、カッパーホイール（１２）を巻着し、カッパーホイールの全周に半田（１３）を積層するとともに、その周上に２つのリング（１４）を半田付けした装飾ガラス片である。【００２４】  図３は、第２の実施例を示す平面図である。カッパーホイールを巻着した矩形のステンドグラス片を４つ並べて半田付けし、さらに３つのリングを半田付けした装飾ガラス片群（２）である。【００２５】  図４は、第３の実施例を示す平面図である。第２の実施例の装飾ガラス片群の下部のリングに、天然石ビーズを通した９ピンを介して装飾ガラス片を連結し、さらに、上部の２つのリングに丸カンを介して、チェーン、装飾ガラス片、天然石ビーズを通した９ピンを連結して、ネックレスにしたものである。【００２６】  図５は、第４の実施例を示す平面図、正面図、右側面図および斜視図である。装飾ガラス片のリングに、テグスを通し、そこにビーズを環状に編み込んで指輪にしたものであり、この実施例では、リングの配置にデザイン的要素を持たせるために、ガラス片の側面に寝かせて半田付けしている。
【産業上の利用可能性】
【００２７】  近年のビーズ・アクセサリーやシルバークレイの流行により、手軽に安価に趣味としてアクセサリー制作を楽しむ人が増えており、そのような人のために、新規な装身具材を提供することができる。また、ファッションの個性化、多様化が進んでいる現代において、従来の装身具だけでは、不満に感じる人が増えており、そのような人のために、新規な装身具を提供することができる。さらに、カルチャースクールの実施により、手軽に安価に趣味として、新規な装身具を制作する技法を指導することができる。
【図面の簡単な説明】
【００２８】
【図１】第１の実施例を示す斜視図である。
【図２】第１の実施例の中央断面図である。
【図３】第２の実施例を示す平面図である。
【図４】第３の実施例を示す平面図である。
【図５】第４の実施例を示す平面図、正面図、右側面図および斜視図である。
【図６】リングの実施形態を示す図である。
【図７】装身具材と連結線材との連結例を示す図である。
【図８】従来の装身具を示した図である。
【符号の説明】
【００２９】  １      装飾ガラス片
１１    平形ガラス片
１２    カッパーホイール
１３    半田
１４    リング
２      装飾ガラス片群
３      連結線材
３１    チェーン
３２    紐
３３    線
４      連結金具
４１    丸カン
４２    ９ピン
４３    Ｔピン
４４    イヤリング金具
【図１】
0003103749.tif 000003
【図２】
0003103749.tif 000004
【図３】
0003103749.tif 000005
【図４】
0003103749.tif 000006
【図５】
0003103749.tif 000007
【図６】
0003103749.tif 000008
【図７】
0003103749.tif 000009
【図８】
0003103749.tif 000010